(57)【要約】【課題】音声（音楽）の入ったカードメモリをＢＧＭにして画像を記録する場合に、記録ポーズ状態を経たつなぎ部分で音声（音楽）が途切れるのを防止する。【解決手段】カードメモリ７から再生された音声を記録媒体６に画像と共に記録する場合に、記録媒体６に対する動作モードが記録モードから一時停止モードに入る時、カードメモリ７から再生される音声の最終サンプルＮｏを記憶し、一時停止から再び記録開始する際に、その最終サンプルＮｏの次から記録媒体６に記録する。【選択図】　図１
2004103077.tif 000002
【特許請求の範囲】
【請求項１】
第１の記録媒体に画像と音声を記録する手段と、第２の記録媒体から音声を再生する手段とを有する記録再生装置であって、
前記第２の記録媒体から再生された音声を前記第１の記録媒体に画像と共に記録するモードにおいて、前記第１の記録媒体へのモードが記録から一時停止に入る時、前記第２の記録媒体から再生される音声の最終サンプルＮｏを記憶し、一時停止から再び記録開始する際に、前記最終サンプルＮｏの次から前記第１の記録媒体に記録することを特徴とする記録再生装置。
【請求項２】
第１の記録媒体に画像と音声を記録する手段と、第２の記録媒体から音声を再生する手段とを有する記録再生装置であって、
前記第２の記録媒体から再生された音声を前記第１の記録媒体に画像と共に記録するモードにおいて、前記第１の記録媒体へのモードが記録から一時停止に入る時、前記第２の記録媒体から再生される音声の最終サンプルＮｏを記憶し、一時停止から再び記録開始する際に、前記最終サンプルＮｏの次から前記第１の記録媒体に記録する連続モードと一時停止から再び記録開始する際に最初のサンプルから記録する繰り返しモードが選択できることを特徴とする記録再生装置。
【発明の詳細な説明】
【０００１】
【発明の属する技術分野】
本発明は、記録媒体に画像と音声を記録する記録再生装置に関する。
【０００２】
【従来の技術】
画像と音声を記録する装置として、カメラ一体型ＶＴＲが知られている。磁気テープ上の各トラックを幅方向に音声領域、動画領域及びサブコード領域に分けて各情報を記録する。
【０００３】
また、最近になって、静止画を記録する為にフラッシュメモリタイプのカードメモリが着脱可能の製品も出てきている。
【０００４】
さらに、カードメモリに音楽を入れ、それをカメラ一体型ＶＴＲに装着して音楽を楽しめるようにしたものも販売されている。
【０００５】
【発明が解決しようとする課題】
予めカードメモリに音声（音楽）を入れておき、音声（音楽）の入ったカードメモリをＢＧＭにして記録することも考えられるが、記録ポーズ状態を経たつなぎ部分ごとに音楽や音声が途切れてしまう。
【０００６】
本発明は、このような問題点を解決する記録再生装置を提示することを目的とする。
【０００７】
【課題を解決するための手段】
本発明に係る記録再生装置は、第１の記録媒体に画像と音声を記録する手段と、第２の記録媒体から音声を再生する手段とを有する記録再生装置であって、前記第２の記録媒体から再生された音声を前記第１の記録媒体に画像と共に記録するモードにおいて、前記第１の記録媒体へのモードが記録から一時停止に入る時、前記第２の記録媒体から再生される音声の最終サンプルＮｏを記憶し、一時停止から再び記録開始する際に、前記最終サンプルＮｏの次から前記第１の記録媒体に記録することを特徴とする。
【０００８】
本発明に係る記録再生装置はまた、第１の記録媒体に画像と音声を記録する手段と、第２の記録媒体から音声を再生する手段とを有する記録再生装置であって、前記第２の記録媒体から再生された音声を前記第１の記録媒体に画像と共に記録するモードにおいて、前記第１の記録媒体へのモードが記録から一時停止に入る時、前記第２の記録媒体から再生される音声の最終サンプルＮｏを記憶し、一時停止から再び記録開始する際に、前記最終サンプルＮｏの次から前記第１の記録媒体に記録する連続モードと一時停止から再び記録開始する際に最初のサンプルから記録する繰り返しモードが選択できることを特徴とする。
【０００９】
【実施例】
以下、図面を参照して、本発明の実施例を詳細に説明する。
【００１０】
（第１実施例）
図１は、テープ等の記録媒体と着脱可能なカードメモリを備えたカメラ一体型ＶＴＲのブロック図であり、図２は、本実施例の動作フローチャートを示す。
【００１１】
図１において、１はレンズ、２は撮像素子とそれで得られた信号を処理するカメラ信号処理回路、３はマイク、４はマイク３で得られた音声信号を増幅したり処理したりする音声信号処理回路、５は音声及び画像を記録媒体に決められたフォーマットで記録できるように変換する記録処理回路、６はテープ等の記録媒体、７は着脱可能なカードメモリ、８はカードメモリ７に記憶された音声ファイルを音声信号にデコードする音声デコード回路、９はマイク３からの音声と音声デコード回路８からの音声をミックスしたり選択したりするＭＩＸ回路、１０は全体を制御するシステム制御回路、１１はトリガースイッチや音声のＭＩＸモードを選択する操作キーである。
【００１２】
図２を参照して、本実施例の動作を説明する。
【００１３】
カメラ一体型ＶＴＲの電源をいれてカメラモードにすると、記録一時停止（ＲＥＣ　ＰＡＵＳＥ）動作に入る（Ｓ１）。カード音声ＭＩＸスイッチがＯＦＦであれば（Ｓ２）、通常の記録シーケンスに移行する。ＯＮであれば（Ｓ２）、記録一時停止動作に入ったまま、カードメモリ７に入っている音声ファイルを選択できるようにファイルのアイコンを表示する（Ｓ３）。
【００１４】
使用者が操作キー１１でＭＩＸしたい音声ファイルを選択し、完了したら（Ｓ４）、音声のサンプルＮｏを入れるレジスタにレジスタ値Ｋ＝０を設定し（Ｓ５）、トリガーＳＷが押されるのを待つ状態になる（Ｓ６）。トリガーＳＷがＯＮになれば、記録動作に入る。カード音声の指定されたファイルの（Ｋ＋１）サンプルが音声でコード回路８及び記録処理回路３により、記録に適した音声信号に変換され、記録媒体６に記録される（Ｓ７）。記録開始の１シーン目は、指定された音声ファイルの最初からの記録になる。次にトリガーＳＷが押されると（Ｓ８）、再び記録一時停止動作に入り、１シーン目のカードからの音声の最終サンプルＮｏをレジスタ値Ｋに反映する（Ｓ９）。
【００１５】
記録終了の指示が無ければ（Ｓ１０）、音声ファイルの変更指示があるかどうかを調べる（Ｓ１１）。音声ファイルの変更指示が無ければ（Ｓ１１）、再び、次のトリガーＳＷがＯＮになるのを待つ（Ｓ６）。トリガーＳＷが押されれば（Ｓ６）、再度、記録動作になるが、２シーン目以降であれば、指定されたファイルの途中である（Ｋ＋１）サンプルから記録され、記録媒体６上ではシーンの変わり目でも音声は連続してつながる。即ち、音声ファイルの変更指示が無い場合、トリガーキーの指示で（Ｋ＋１）サンプルから記録され、記録媒体６上ではシーンの変わり目でも音声は連続してつながることになる。
【００１６】
音声ファイルの変更指示があった場合（Ｓ１１）、再び音声ファイルが選択できるようにファイルのアイコンを表示する（Ｓ３）。
【００１７】
図２には図示されていないが、音声ファイルには当然、サイズがあり、それを超えた場合は無音にしたり、あるいは同じファイルの１サンプル目から繰り返したり、別のファイルの１サンプル目から記録するようにしても良い。
【００１８】
図３は、出来上がったテープに記録された音声の状態を表している。マイク３からの音声に関しては省略し、カードメモリ７からの音声のサンプルＮｏだけを記してある。シーン１からシーン２へのつなぎ部でも、音声は、（Ｋ−１）、（Ｋ）、（Ｋ＋１）、（Ｋ＋２）と連続する。
【００１９】
（第２実施例）
連続するモードしか有しない場合を説明したが、トリガーキーに連動して音声ファイルの最初から記録するモードも備えた場合の動作を説明する。図４は、そのフローチャートを示す。
【００２０】
カメラ一体型ＶＴＲの電源をいれてカメラモードにすると、図４に示すフローチャートがスタートし、記録一時停止動作に入る（Ｓ２１）。カード音声ＭＩＸスイッチがＯＦＦであれば（Ｓ２２）、通常の記録シーケンスに移行する。ＯＮであれば（Ｓ２２）、記録一時停止動作に入ったまま、カードメモリ７に入っている音声ファイルが選択できるようにファイルのアイコンを表示する（Ｓ２３）。
【００２１】
使用者が操作キー１１でＭＩＸしたい音声ファイルを選択し、完了したら（Ｓ２４）、音声のサンプルＮｏを入れるレジスタにレジスタ値Ｋ＝０を設定し（Ｓ２５）、トリガーＳＷが押されるのを待つ状態になる（Ｓ２６）。トリガーＳＷがＯＮになれば（Ｓ２６）、ＲＥＣ動作に入る。カード音声の指定されたファイルの（Ｋ＋１）サンプルが音声でコード回路８及び記録処理回路３により、記録に適した音声信号に変換され、記録媒体６に記録される（Ｓ２７）。記録開始の１シーン目は、指定された音声ファイルの最初からの記録になる。次にトリガーＳＷが押されると（Ｓ２８）、再び、記録一時停止動作に入り、１シーン目のカードからの音声の最終サンプルＮｏをレジスタ値Ｋに反映する（Ｓ２９）。
【００２２】
記録終了の指示が無ければ（Ｓ３０）、音声ファイルの変更指示があるかどうかを調べる（Ｓ３１）。音声ファイルの変更指示が無ければ（Ｓ３１）、音声ＭＩＸが連続するモードか、又は、トリガーＳＷが押されるたびにトップから記録するモード（繰り返しモード）かを判断する（Ｓ３２）。
【００２３】
連続モードが選択されていれば、第１実施例と同様の動作になる。つまり、再び次のトリガーＳＷのＯＮを待ち（Ｓ２６）、トリガーＳＷが押されれば（Ｓ２６）、再度の記録になるが、２シーン目以降であれば、指定されたファイルの途中である（Ｋ＋１）サンプルから記録され、記録媒体上ではシーンの変わり目でも音声は連続してつながる。
【００２４】
トップからの記録のモード（繰り返しモード）が選択されていれば（Ｓ３２）、Ｋ＝０を設定してから（Ｓ２５）、トリガーＳＷのＯＮを待つ状態になる（Ｓ２６）。トリガーＳＷが押されれば（Ｓ２６）、再度の記録になるが、２シーン目以降であっても、指定されたファイルの最初のサンプルから記録され、記録媒体上ではシーンの変わり目ごとに同じ音声が繰り返しＭＩＸされ記録される。ＭＩＸされる音声としては、拍手、歓声、ファンファーレ等が考えられる。
【００２５】
図５は、図４に示す動作での、繰り返しモードの音声の状態を示す模式図を示す。
【００２６】
記録媒体が磁気テープである例を説明したが、磁気ディスク、光ディスク、又は固体メモリ等、その他の記録媒体であってもよい。
【００２７】
【発明の効果】
以上の説明から容易に理解できるように、本発明によれば、第１の記録媒体に画像と音声を記録する手段と第２の記録媒体から音声を再生する手段を備え、前記第２の記録媒体から再生された音声を前記第１の記録媒体に画像と共に記録するモードにおいて、前記第１の記録媒体へのモードが記録から一時停止に入る時、前記第２の記録媒体から再生された音声の最終サンプルＮｏを記憶し、一時停止から再び記録開始する際には前記最終サンプルＮｏの次から前記第１の記録媒体に記録するようにしたことにより、前記第１の記録媒体のつなぎ部分でも前記第２の記録媒体から再生された音声を連続して記録することができる。
【００２８】
また本発明によれば、第１の記録媒体に画像と音声を記録する手段と第２の記録媒体から音声を再生する手段を備え、前記第２の記録媒体から再生された音声を前記第１の記録媒体に画像と共に記録するモードにおいて、前記第１の記録媒体へのモードが記録から一時停止に入る時、前記第２の記録媒体から再生された音声の最終サンプルＮｏを記憶し、一時停止から再び記録開始する際には前記最終サンプルＮｏの次から前記第１の記録媒体に記録する連続モードと一時停止から再び記録開始する際には最初のサンプルから記録する繰り返しモードが選択できるようにしたことにより状況に応じた音声ＭＩＸが可能になる。
【図面の簡単な説明】
【図１】本発明の一実施例の概略構成ブロック図である。
【図２】本実施例の動作フローチャートである。
【図３】記録された音声の状態を示す模式図である。
【図４】本実施例の別の動作フローチャートである。
【図５】図４に示す動作での、繰り返しモードの音声の状態を示す模式図である。
【符号の説明】
１：レンズ
２：カメラ信号処理回路
３：マイク
４：音声信号処理回路
５：記録処理回路
６：記録媒体
７：カードメモリ
８：音声デコード回路
９：ＭＩＸ回路
１０：システム制御回路
１１：操作キー
【図１】
2004103077.tif 000003
【図２】
2004103077.tif 000004
【図３】
2004103077.tif 000005
【図４】
2004103077.tif 000006
【図５】
2004103077.tif 000007